(57)【要約】【課題】  利用者が夫々の身体状況や嗜好に合わせて簡易に最適な高さや利用方法選択でき、配置の自由度が高い回転式手摺装置を提供する。【解決手段】  回転軸に手摺用ブラケットを配設し、回転軸の回転により、高さの調整と出幅の調整を無段階に行ない、回転軸の端部に球面状の摺動部を有するかさ歯車を配して階段部や勾配部のコーナーなどでも自由に連結する。【選択図】図１
2006307617.tif 000002
【特許請求の範囲】
【請求項１】
手摺を架設するためのブラケットを配設した回転軸を回動自在かつ揺動可能に手摺設置面に取付け、回転軸の回転により手摺の出幅の調整、高さ調整および利用形態の選択が可能で勾配部あるいは階段にも容易に対応する回転式手摺装置
【請求項２】
請求項１記載の回転式手摺装置においてシャフトの端部に球面状の摺動部を有するかさ歯車を配し、角度を有するコーナー部においても自在に連結することが可能な回転式手摺装置
【発明の詳細な説明】
【技術分野】
【０００１】  本発明は、手摺を架設するためのブラケットを配設したシャフトを回転する事により、高さ調整、出幅調整が可能な手摺装置であり、シャフトの端部に球面状のかさ歯車を配することにより連結の自由度を高めた手摺装置に関する。
【背景技術】
【０００２】  従来、手摺は壁面にブラケットを取り付けて固定されていたり、土間にパイプ状のものを自立させたりしていた。【０００３】  設置に際しては、握り部が用途により直径２８ミリ〜３６ミリ程度、高さは利用者の大腿骨大転子の位置で垂直方向に７５０ミリ〜８００ミリ程度とされているが、こうした基準だけではなく、使用する場所、使用方法、生活習慣や嗜好、身体機能によって最適な高さを調整しなければならない。【０００４】  また、年数の経過により手摺を必要とする人が入れ替わったり、新たに加わったり、身体機能が変化したりする事で最適な高さが変動する場合もあり、それに対応するため、可動、可倒式の手摺、あるいは複数の利用目的に対応するための多段式手摺の考案は数多くなされている。【０００５】  可動、可倒式の代表的なものは、特開平７−１１７４９、特開２００１−３１７１７３、特開２００４−２４４８５５、特開２００１−２７０２６などがある。【０００６】  特開平７−１１７４９の発明は可倒式の代表的なもので、手摺が不要なときの収納と、手摺使用時の出幅量の調整を簡易な構成で示したものである。【０００７】  特開２００１−３１７１７３の発明はレール上で昇降あるいは回転する手摺用のブラケットであり、容易に高さを調整できると共に角度の調整も可能なため、階段などへの対応もできる。【０００８】  特開２００４−２４４８５５の発明は上下あるいは左右に伸縮するシリンダ式の腕部を持つ手摺取付部材により、手摺の出幅および高さを自在に調整できるものである。【０００９】  特開２００１−２７０２６の発明は縦手摺と横手摺と止め金具を組合せて自在に高さ調整できるものであり、用途と場所と個人差を選ばない試みであり、組合せによっては多段式の構成も可能で、同時に複数の使用者にも対応できる。【００１０】  多段式手摺の代表的な発明は特開２００３−３０１５８０である。【００１１】  梯子状に構成された、この発明は使用者の姿勢の変化に細かく対応できるものであり、また使用する高さを自由に選べるので複数の使用者が同時に利用でき、さらに梯子状の構成はリハビリなどの用途にも効果が高いと思われる。
【特許文献１】  特開平７−１１７４９
【特許文献２】  特開２００１−３１７１７３
【特許文献３】  特開２００４−２４４８５５
【特許文献４】  特開２００１−２７０２６
【特許文献５】  特開２００３−３０１５８０
【発明の開示】
【発明が解決しようとする課題】
【００１２】  近年、社会が急速に高齢化したことに伴い、家庭内事故の防止やバリアフリー化が注目されるようになり、手摺の役割が重要視されるようになった。【００１３】  それに伴い、従来は利用者本人の都合より手摺を設置する壁面の取付け強度であるとか設置の簡易さに主眼が置かれていたが、そうした考え方が見直され、水平部分における手摺の最適な高さや、トイレ内に横手摺と縦手摺を組合せて配置する際の便器からの水平垂直距離などに関し、人体のデータに基いた数値が明確に示され、半ば規格化されてきている。【００１４】  ただ、手摺の使用は、そうした外形的なデータにより一律に規格化できるものではないことも認識されはじめた。【００１５】  例えば、手指に障害があれば、手摺を掴むのではなく、肘を乗せて体重を支えたり、脇で挟んで使うようになる。【００１６】  同じ体型であっても身体状況が違えば、最適な高さは変化するのであり、外形的なデータによる規格の一律化は不可能である。【００１７】  こうした状況をふまえて、従来の技術においては、上記のように個々の利用者の現在の状態に合わせるための調節機能を重視しているが、高さや出幅が決まった場合の固定は工具などを使ってブラケットを締着するなどの方法を取っている。【００１８】  ある程度、荷重のかかる手摺という装置の性格上、安全性を重視するため、これらの固定方法は、やむを得ないと言えるが、階段などに設置される手摺が昇降によって役割が変る場合、例えば、上る際は通常より高い位置を握り腕力で階段を上がる動作を補助するが、下りる際は通常より少し低い位置で手を滑らせ転倒や落下を防ぐなどという使い方が想定されるとすれば、手摺の高さを固定してしまう方式では対処できない。【００１９】  この場合、多段式の手摺は有効に作用するが、例えば、利用者が複数である場合などは人数分の需要に対処するため、大掛かりにならざるを得ない。【００２０】  これは使用者本人あるいは介助者が手摺の高さを調節する作業において、主体となる事を想定していないためであり、また、手摺利用時の多彩な用途が考慮されていないためである。【００２１】  手摺を要する利用者が複数であったり、利用方法が随時変化するなどの場合、利用者本人または介助者の意思で、利用者に合わせた高さに、その場で、簡易に調節できる機構が必要であり、また、一度調整した手摺を再度調整しなおす場合の容易さを考慮しなければならない。【００２２】  本発明は手摺の利用者が複数であったり、手摺利用の用途が多彩であっても、利用者あるいは介助者が手摺使用時に最適な高さに自由に設定することが可能で、変更や調整もその場で容易にでき、さらにコーナーが連続する階段の踊り場などでも簡単に連結して設置できることを目的とする。
【課題を解決するための手段】
【００２３】  手摺を架設するためのブラケットを配設したシャフトを回動自在に手摺設置面に配し、シャフトの回転により手摺の出幅調整、高さ調整および利用形態の選択を可能にし、手摺を架設するためのブラケットを配設したシャフトの端部に球面状の摺動部を有する歯車を配し、コーナー部あるいは略円形の踊り場などにおいて自在に連結することが可能な回転式手摺装置。
【発明を実施するための最良の形態】
【００２４】  この発明を実施するための最良の形態を図を参照して詳述する。【００２５】  図１から図４は請求項１の発明を実施するための形態である。【００２６】  図１から図４は本発明の取付金具３と軸受具２および回転軸１の構成を示す。【００２７】  回転軸１に取り付けたブラケット４により手摺５を支持し、回転軸１の回転により、手摺の出幅、高さを無段階に調整する。【００２８】  回転軸１は本形態においては、回転のための断面円形部とブラケット４を支持固定するための略四角形部８を有するが、これはブラケット４の取り付け部分であり、ブラケット４に略四角形部８と嵌合し摺動するブラケット固定金具９などを設け安定性と安全性の向上を考慮したものである。【００２９】  また、ブラケット固定金具９は回転軸１の略四角形部８に嵌合し摺動するためブラケット４を配置する際は自在に適切な間隔で配設する事が可能で、配置が決まった後にビスなどで固定するが、複数のブラケット４の設置角度が一定となる効果もある。【００３０】  本形態では略四角形としたが、これに限るものではなく多角形にすれば同様の効果を得られる。【００３１】  軸受具２はベアリングあるいはシールなどを施した開口部を有し、嵌入した回転軸１を回動自在に支持する。【００３２】  また軸受具２は背部に円筒形の回転部６を有し、回転部６を取付金具３に設けた円形の開口部に嵌入する。【００３３】  該開口部の直径を上回る円形の止具１０を回転部６の底部に固着し取付金具３に軸受具２を揺動可能に取り付ける。【００３４】  該回転部６により、取付金具３に配された軸受具２は揺動可能となり、手摺設置の際、勾配や段差のある場所において角度の微調整が必要となるが、特別な技術や手間を要する事なく容易に対応できる。【００３５】  取付金具３は軸受具２に嵌入した回転軸１に配されたブラケット４に固着された手摺を使用する際、力のかかる上方部の面積を大きく取り、荷重を分散させる構成とし、上部に２段、下部に１段の固着用開口部を設けてビスあるいはアンカーなどで手摺設置面に固着する。【００３６】  これは、木部への取付けが容易で安価に仕上がる構成であるが、加わる荷重に対抗できるだけのボルトなどのサイズを算出すれば、コンパクトな構成も可能である。【００３７】  取付金具３には、図３の断面図に示すように軸受具２の背面に設けた軸受具回転部６が嵌入する開口部と、軸受具回転部６に固着した止具１０が回動するための開口部を２段階に有する。【００３８】  軸受具２と止具１０は軸受具回転部６を介して取付金具３を挟み込む構造となり、軸受具２に嵌入した回転軸１を揺動可能に支持する。【００３９】  この構成により、取付金具３を手摺設置面に配設する際、常に鉛直に設置できる利点があり設置の自由度が向上するとともに安定した強度を保つ事が可能である。【００４０】  図５から図７で請求項１の発明をコーナー部などで連結する際の請求項２の形態を示す。【００４１】  取付金具３に揺動可能に取り付けられた軸受具２に嵌入した回転軸１の端部に球面状の摺動部を有するかさ歯車７を固着し、コーナー部などで各回転軸１の端部に固着したかさ歯車７を摺動させる事により、配設された手摺を同時に稼動する。【００４２】  ���磁ロック１１は手摺設置面に固定し、回転軸１の角度が決まった際に回転軸１の回動を係止するものであり、回転軸１を駆動中は係止が解除される機構のもの、例えば無励磁式電磁ブレーキなどを使用する。【００４３】  さらに手摺を勾配のある部分や階段などに設置した際に回転軸１が滑動するのを防ぐ働きも併せ持つ。【００４４】  図７は階段などに本発明を実施した際の略図であるが、連結部１２に球面状の摺動部を有するかさ歯車７を配した事により、階段部分から踊り場への連結の自由度が高まっている事が判る。【００４５】  また、踊り場などの形状が円形などになっていても、手摺を分割し、連結する事により、本発明は実施可能である。【００４６】  本発明における、回転軸１を駆動する方法は電気的、機械的あるいは磁気的方法のいずれかに限る必要はなく、回転軸１に回転を与える方法であれば良いので、減速ギアを用いて人力での駆動も可能である。【００４７】  また、駆動源の設置においても、回転軸１の端部、あるいは連結部などで可能であり、設置の自由度は高い。【００４８】  また、本実施の形態では回転軸１の係止に電磁ロックを用いているが、これに限るものではなく、機械的係止手段や駆動源による係止、あるいはそれらの併用なども考えられる。【００４９】  本発明においては、手摺利用中の他者の操作の禁止が必要となるため、手摺部分に接触あるいは圧力センサーなどを配して、手摺利用中の係止手段の解除を禁止する対策をとる必要がある。【００５０】  また、同時に手摺利用中はランプが点灯するなどの警告機能も効果があると思われる。
【発明の効果】
【００５１】  本発明においては、手摺の高さを利用者の身体状況あるいは嗜好によりきめ細かく設定する事が可能であり、同時に出幅の調整という機能も有するので、肘をかけたり、脇で挟んで松葉杖の代わりにするなどの自由な使い方が可能となる。
【００５２】  また、身体状況の変動や複数の利用者が存在する場合にも対応できる。
【００５３】  さらに、手摺不使用時には出幅を最小に調整する事により、通路や階段の幅員を広げる事ができる。
【図面の簡単な説明】
【図１】  本発明の一実施の形態を示す斜視図である。
【図２】  本発明の一実施の形態を示す断面図である。
【図３】  本発明の取付金具の形態を示す断面図である。
【図４】  本発明の取付金具の形態を示す正面図である。
【図５】  本発明の一実施の形態を示す正面図である。
【図６】  本発明の一実施の形態を示す平面図である。
【図７】  本発明の階段設置例である。
【符号の説明】
１  回転軸
２  軸受具
３  取付金具
４  手摺用ブラケット
５  手摺
６  軸受具回転部
７  球面の摺動部を有するかさ歯車
８  略四角形部
９  ブラケット固定金具
１０  止具
１１  電磁ロック
１２  連結部
【図１】
2006307617.tif 000003
【図２】
2006307617.tif 000004
【図３】
2006307617.tif 000005
【図４】
2006307617.tif 000006
【図５】
2006307617.tif 000007
【図６】
2006307617.tif 000008
【図７】
2006307617.tif 000009